(57)【要約】【課題】本発明は、表示装置を本体に対して反転させて使用することができる構造を有し、外部接続端子の大きさよりも本体の厚みが薄い電子機器を提供する。【解決手段】電子機器１は、本体２と表示装置３とヒンジ機構４と凸部２１とを備える。ヒンジ機構４は、回動軸４１と旋回軸４２を有し、本体２および表示装置３を連結する。回動軸４１は、表示装置３の一辺に沿って配置される軸線αを中心に本体２に重ね合わせた状態から本体２に対して立て起した状態までの間で表示装置３を回動させる。旋回軸４２は、回動軸４１に交差する向きに配置される軸線βを中心に回動軸４１ごと表示装置３を回転させる。凸部２１は、表示装置３が重ね合わされる側へ本体２から突出し、本体２に重ね合わせた状態の表示装置３が旋回軸４２中心とする回転方向に干渉する。【選択図】      図１
2007102075.tif 000002
【特許請求の範囲】
【請求項１】
上面にキーボードが設けられた本体と、
表示面から入力操作を行える入力手段が装備された表示装置と、
前記本体に重ね合わせた状態から前記本体に対して立て起した状態までの間で前記表示装置の一辺に沿って配置される軸線を中心にこの表示装置を回動させる回動軸と、前記回動軸に交差する向きに配置される軸線を中心に前記回動軸ごと前記表示装置を回転させる旋回軸とを有し、前記本体および前記表示装置を連結するヒンジ機構と、
前記本体から突出して形成され、前記表示装置を前記本体に重ね合わせた状態で前記旋回軸を介して旋回させた場合にこの表示装置に干渉する凸部と、
を備えることを特徴とする電子機器。
【請求項２】
外部接続端子が前記本体から前記凸部までにまたがって設けられることを特徴とする請求項１に記載の電子機器。
【請求項３】
前記表示装置は、前記本体に重ね合された状態で前記凸部に面した縁に衝撃吸収材となるパッドを有することを特徴とする請求項１に記載の電子機器。
【請求項４】
前記回動軸は、前記表示装置が前記本体に重ね合わされる位置で前記表示装置を前記本体に押し当てる方向へ付勢するトルク機構を有していることを特徴とする請求項１に記載の電子機器。
【発明の詳細な説明】
【技術分野】
【０００１】
本発明は、本体に対して表示装置を反転させることのできる電子機器に関する。
【背景技術】
【０００２】
ノートブック型のポータブルコンピュータや携帯電話機などに代表される電子機器は、本体と表示装置がヒンジで連結されている。特許文献１に記載の電子機器に設けられたヒンジは、互に交差する回動軸と旋回軸とを備える。回動軸は、本体に対して表示装置の表示面を伏せた閉状態と本体に対して立て起こされた開状態との間で、表示装置を回動可能に支持している。旋回軸は、回動軸と交差する向きに配置され回動軸ごと表示装置を本体に対して回転させる。また、表示装置は、旋回軸と回動軸を中心に回動することによって、表示面を本体に対して仰向けにする反転状態となる。この電子機器は、反転状態においても表示装置に直接触れて入力が行えるタッチパネルを備えている。
【０００３】
特に、開状態から閉状態へ、閉状態から開状態へ、反転状態から開状態、開状態から反転状態へ、それぞれ表示装置を移動させる場合、表示装置が本体に対して旋回軸を中心に不用意に回転しないようにするための連動機構を備える。この連動機構は、回動軸を中心に表示パネルを本体に対して任意の角度にした場合に旋回軸周りの回転抵抗が小さくなるように設けられている。また、閉状態または反転状態の表示装置が、回動軸を中心に動かないようにラッチ機構が設けられている。
【特許文献１】特開２００４−５３９２７号公報
【発明の開示】
【発明が解決しようとする課題】
【０００４】
タッチパネルなど表示画面に触れて入力操作を行うタブレット型の電子機器は、机上に載置して使用される以外に、利用者が手に持って、あるいは抱えて使用されることが多い。そのため、このタイプの電子機器は、軽量でかつ持ちやすいことが求められる。また、携行した先々で様々な周辺機器に接続することを考慮すると、多種類の外部接続端子が必要である。しかしながら、様々な外部接続端子を設けるためには、外部接続端子に応じた厚みが少なくとも本体に必要であり、本体の厚みを薄くすることができない。
【０００５】
また、タブレット型の電子機器において、本体に重ね合わせた状態の表示装置は、ラッチ機構によって、旋回軸を中心とする回転動作および回動軸を中心とする回転動作が拘束される。この場合のラッチ機構は、表示装置を閉状態および反転状態のいずれにおいても本体に結合される機能および剛性を必要とされる。したがって、ラッチ機構は、構造が複雑になり、かさばる。そのため、ラッチ機構を備えることによって、本体側および表示装置側の厚みを薄くできない。
【０００６】
そこで、本発明は、表示装置を本体に対して反転させて使用することができる構造を有し、外部接続端子の大きさよりも本体の厚みが薄い電子機器を提供する。
【課題を解決するための手段】
【０００７】
本発明に係る電子機器は、本体と表示装置とヒンジ機構と凸部とを備える。本体の上面に、キーボードが設けられる。表示装置は、表示面から入力操作を行える入力手段を装備する。ヒンジ機構は、回動軸と旋回軸を有し、本体および表示装置を連結する。回動軸は、本体に重ね合わせた状態から本体に対して立て起した状態までの間で表示装置の一辺に沿って配置される軸線を中心にこの表示装置を回動させる。旋回軸は、回動軸に交差する向きに配置される軸線を中心に回動軸ごと表示装置を回転させる。凸部は、本体から突出して形成され、表示装置を本体に重ね合わせた状態で旋回軸を介して旋回させた場合にこの表示装置に干渉する。
【発明の効果】
【０００８】
本発明に係る電子機器は、表示装置を本体に対して反転させて使用することができる構造を備えつつ、外部接続端子の大きさ本体の厚みを薄くできる。
【発明を実施するための最良の形態】
【０００９】
本発明に係る一実施形態の電子機器１を図１から図９を参照して説明する。図１に示す電子機器１は、本体２と表示装置３とヒンジ機構４と凸部２１とを備える。本体２は、ＣＰＵなどが実装された回路基板、記憶媒体などを内蔵し、上面２ａにキーボード５を備えている。表示装置３は、液晶ディスプレイ６とタッチパネル７とを備えている。
【００１０】
液晶ディスプレイ６は、本体２に内蔵された回路基板に接続されて情報を表示する表示部の一例であって、プラズマディスプレイ、有機エレクトロルミネッセンス、表面伝導型電子放出素子ディスプレイなどであっても良い。タッチパネル７は、表示面６ａから入力操作を行える入力手段であって、液晶ディスプレイ６の表示面６ａに積層されており、液晶ディスプレイ６に表示された情報に関連付けられた入力操作を行うことができる。
【００１１】
ヒンジ機構４は、図５に示すように回動軸４１と旋回軸４２とを有し、本体２と表示装置３とを連結する。回動軸４１は、図２に示すように本体２の後部側に近い表示装置３の一辺に沿って配置される軸線αを中心に、本体２に重ね合わさる状態から本体２に対してたて起された状態まで、表示装置３を回動させる。旋回軸４２は、図３に示すように本体の回動軸４１と直交する向きに配置される軸線βを中心に、回動軸４１ごと表示装置３を回転させる。
【００１２】
表示装置３が本体２に重ね合わさる状態として、タッチパネル７が装着された表示面６ａをキーボード５に向けて本体２に重ね合された閉状態（第１状態）Ｐ１と、表示面６ａを外部に向けた仰向けの状態で表示装置３の背面３ａをキーボード５に向けて本体２に重ね合わせた図４に示す反転状態（第４状態）Ｐ４とがある。表示装置３が本体２に対して立て起された状態として、表示面６ａがキーボード側に面した開状態（第２状態）Ｐ２と、表示装置３の背面３ａがキーボード５に向いた旋回状態（第３状態）Ｐ３とがある。
【００１３】
したがって、ヒンジ機構４は、回動軸４１を中心に閉状態Ｐ１から開状態Ｐ２まで、および旋回状態Ｐ３から反転状態Ｐ４までの間で、表示装置３を回動させる。つまり、表示装置３は、表示面６ａが本体２に向けて伏せられた位置から仰向けになる位置まで、実質的に回動軸４１を中心に１８０°回動する。また、ヒンジ機構４は、旋回軸４２を中心に開状態Ｐ２から旋回状態Ｐ３まで表示装置３を１８０°回転させる。
【００１４】
また、ヒンジ機構４は、回動軸４１の両端にトルク機構４３を備える。このトルク機構４３は、表示装置３が本体２に重ね合わされる位置で、表示装置３を本体２に押し当てる方向へ付勢するトルクを有している、いわゆる引込ヒンジである。このトルク機構４３は、表示装置３が、閉状態Ｐ１であっても反転状態Ｐ４であっても機能し、開状態Ｐ２または旋回状態Ｐ３において機能しない。旋回軸４２は、中空になっており、液晶ディスプレイ６およびタッチパネル７の信号ケーブルが通される。
【００１５】
軸線βから半径方向に延びるアーム４４が旋回軸４２の旋回部４２ａに設けられ、このアーム４４と当接するストッパ４５ａ，４５ｂが旋回軸４２の基部４２ｂに設けられている。アーム４４は、閉状態Ｐ１および開状態Ｐ２においてストッパ４５ａに当たり、旋回状態Ｐ３および反転状態Ｐ４においてストッパ４５ｂに当たる。
【００１６】
以上のように構成されたヒンジ機構４を備える電子機器１の表示装置３を反転する動作について図９を参照して説明する。図９に示すように、表示装置３は、閉状態Ｐ１からトルク機構４３の付勢力に抗って回動軸４１を中心に開状態Ｐ２へ立て起される。さらに、表示装置３は、旋回軸４２を中心にアーム４４がストッパ４５ｂに当たるまで回されることで旋回状態Ｐ３になる。旋回状態Ｐ３になった表示装置３は、ストッパ４５ｂによってこれ以上回動しないので、さらに手前に引き倒すことで、回動軸４１を中心に反転状態Ｐ４へ、表示面６ａを仰向けにして本体２の上に重ね合わされる。表示装置３は、トルク機構４３によって本体側に押付けられているので、反転状態Ｐ４においてがたつくことが無い。
【００１７】
表示装置３は、図６および図７に示すように回動軸４１に対して偏心して取り付けられている。表示装置３は、図６に示される閉状態Ｐ１において、表示面６ａが本体２の上面２ａと平行なり、図７に示される反転状態Ｐ４において、ヒンジ機構４に近付くにしたがって表示面６ａが本体２の上面２ａから離れるようにやや傾斜した状態になる。したがって、この電子機器１を反転状態Ｐ４で机上に設置し利用する場合、表示面６ａが利用者側に向かって傾斜した状態となるので、操作性が向上する。
【００１８】
凸部２１は、各図に示されるように、表示装置３が重ね合わされる上面側に本体２から突出し、本体２の後部２ｂに沿って設けられている。凸部２１は、閉状態Ｐ１および反転状態Ｐ４における回動軸４１の延長線上に位置している。つまり、凸部２１は、図６に示す閉状態Ｐ１もしくは図７に示す反転状態Ｐ４の表示装置３に対して、旋回軸４２を中心とする回転方向に干渉する。
【００１９】
表示装置３は、凸部２１に面した縁３ｂに衝撃吸収材となるゴム性のパッド３１が取り付けられている。パッド３１は、図６および図７において凸部２１から離れているが、閉状態Ｐ１および反転状態Ｐ４となる位置で、凸部２１に接触するように設けると、本体２に対して表示装置３が安定する。
【００２０】
本体２の後部２ｂと凸部２１は、図８に示すように一続きに設けられており、ＲＧＢコネクタ８ａ、ＬＡＮコネクタ８ｂ、ヘッドホン出力端子８ｃが本体２から凸部２１までにまたがって配置されている。ＲＧＢコネクタ８ａ、ＬＡＮコネクタ８ｂ、ヘッドホン出力端子８ｃは、外部接続端子の一例である。この他にアンテナ入力端子、ビデオ端子、デジタル映像端子、オーディオ端子、モデムコネクタなど、本体２の厚みよりも接続外形寸法が大きい外部接続端子を設けてもよい。
【００２１】
ここで、接続外形寸法とは、外部接続端子を設けるために必要とされる面積の外形寸法で、差込まれるジャックやプラグの外形寸法も加味される。接続外形寸法の小さい外部接続端子は、本体２から凸部２１までの間にまたがって設けられていなくても良いので、本体２の外周であればどこに設けても良い。また、本実施形態の電子機器１の場合、本体２と凸部２１とは、側部においても面一に設けられている。したがって、本体２の厚みより接続外形寸法が大きい外部接続端子をこの部分に設けても良い。
【００２２】
以上のように構成された電子機器１は、本体２から凸部２１にまたがって外部接続端子が本体２の後部２ｂに配置されている。したがって、外部接続端子の大きさに影響されること無く、本体２の厚みを薄くすることができる。また、電子機器１は、凸部２１が設けられていることにより、表示装置３は、閉状態Ｐ１または反転状態Ｐ４で旋回軸４２を中心とする回転方向の動きが封じられる。また、回動軸４１にトルク機構４３を備えている。したがって、電子機器１は、ラッチ機構を設け無くても、表示装置３が本体２に対して閉状態Ｐ１または反転状態Ｐ４でがたつくことなく、しっかりと保持される。
【図面の簡単な説明】
【００２３】
【図１】本発明に係る一実施形態の電子機器を示す斜視図。
【図２】図１中の電子機器の回動軸を中心に表示装置を回動する状態を示す斜視図。
【図３】図１中の電子機器の旋回軸を中心に表示装置を旋回する状態を示す斜視図。
【図４】図１中の電子機器の表示装置を反転した状態を示す斜視図。
【図５】図１中の電子機器のヒンジ機構を示す斜視図。
【図６】図１中の電子機器の閉状態の後部を示す側面図。
【図７】図１中の電子機器の反転状態の後部を示す側面図。
【図８】図１中の電子機器の閉状態を後方から見た側面図。
【図９】図１中の電子機器の表示装置を閉状態から反転状態まで動かす一連の動作を模式的に示す斜視図。
【符号の説明】
【００２４】
１…電子機器、２…本体、２ａ…上面、３…表示装置、４…ヒンジ機構、５…キーボード、６ａ…表示面、７…タッチパネル、８ａ…ＲＢＧコネクタ（外部接続端子）、８ｂ…ＬＡＮコネクタ（外部接続端子）、８ｃ…ヘッドホン接続端子（外部接続端子）、２１…凸部、３１…パッド、４１…回動軸、４２…旋回軸、４３…トルク機構、α…（回動軸の回転中心）軸線、β…（旋回軸の回転中心）軸線。
【図１】
2007102075.tif 000003
【図２】
2007102075.tif 000004
【図３】
2007102075.tif 000005
【図４】
2007102075.tif 000006
【図５】
2007102075.tif 000007
【図６】
2007102075.tif 000008
【図７】
2007102075.tif 000009
【図８】
2007102075.tif 000010
【図９】
2007102075.tif 000011